(57)【要約】【課題】行先階登録ボタンが操作されたときにそれがいたずらによるものか否かを判定していたずらによる場合の行先階の登録を的確に規制するシステムを提供する。【解決手段】操作盤に配設され、乗りかごの行先階を登録するためにエレベータの利用者が操作する複数の行先階登録ボタンと、操作盤の１つの行先階登録ボタンが操作されたときに、この今回の操作が前回の行先階登録ボタンの操作から予め設定された所定の時間内に行なわれたか否かを判定し、所定の時間内での操作のときには、今回の操作による行先階登録ボタンに対応する階床の行先階登録を行なわず、かつ前回の行先階登録ボタンの操作による階床の行先階登録を取り消し、前記所定の時間を超える時間での操作のときには、今回の操作による行先階登録ボタンに対応する階床の行先階登録、及び前回の行先階登録ボタンの操作による階床の行先階登録を共に維持する制御を行なう制御手段とを具備する。【選択図】      図３
2010006513.tif 000002
【特許請求の範囲】
【請求項１】
乗りかご内に設けられた操作盤と、
前記操作盤に配設され、乗りかごの行先階を登録するためにエレベータの利用者が操作する複数の行先階登録ボタンと、
前記操作盤の１つの行先階登録ボタンが操作されたときに、この今回の操作が前記操作盤に対する前回の行先階登録ボタンの操作から予め設定された所定の時間内に行なわれたか否かを判定し、所定の時間内での操作であるときには、今回の操作による行先階登録ボタンに対応する階床の行先階登録を行なわず、かつ前回の行先階登録ボタンの操作による階床の行先階登録を取り消し、今回の操作が前記操作盤に対する前回の行先階登録ボタンの操作から前記所定の時間を超える時間での操作であるときには、今回の操作による行先階登録ボタンに対応する階床の行先階登録、及び前回の行先階登録ボタンの操作による階床の行先階登録を共に維持する制御を行なう制御手段と、
を具備することを特徴とするエレベータのいたずら防止システム。
【請求項２】
乗りかご内に設けられた複数の操作盤と、
前記各操作盤に配設され、乗りかごの行先階を登録するためにエレベータの利用者が操作する複数の行先階登録ボタンと、
前記いずれか１つの操作盤における１つの行先階登録ボタンが操作されたときに、この今回の操作が前記操作盤に対する前回の行先階登録ボタンの操作から予め設定された所定の時間内に行なわれたか否かを判定し、所定の時間内での操作であるときには、今回の操作による行先階登録ボタンに対応する階床の行先階登録を行なわず、かつ前回の行先階登録ボタンの操作による階床の行先階登録を取り消し、今回の操作が前記操作盤に対する前回の行先階登録ボタンの操作から前記所定の時間を超える時間での操作であるときには、今回の操作による行先階登録ボタンに対応する階床の行先階登録、及び前回の行先階登録ボタンの操作による階床の行先階登録を共に維持する制御を行なう制御手段と、
を具備することを特徴とするエレベータのいたずら防止システム。
【請求項３】
前記制御手段は、前記操作盤における１つの行先階登録ボタンが、前記操作盤に対する前回の行先階登録ボタンの操作から前記所定の時間内に行なわれたと判定したときに、乗りかご内にいたずらに対する警告を発する警告手段を備えることを特徴とする請求項１又は２に記載のエレベータのいたずら防止システム。
【請求項４】
前記制御手段による制御は、予め設定された特定の時間帯に限って行なわれ、その時間帯以外の時間帯には、前記操作盤における行先階登録ボタンの操作に応じる階床の行先階がすべて登録されることを特徴とするエレベータのいたずら防止システム。
【発明の詳細な説明】
【技術分野】
【０００１】
この発明は、エレベータのいたずら防止システムに関する。
【背景技術】
【０００２】
エレベータの利用者が乗るかごには、操作盤が設けられ、この操作盤に建物の各階床に対応する複数の行先階登録ボタンが設けられている。そして利用者が、自分の行先階に対応する行先階登録ボタンを指先で押圧操作すると、その行先階が制御盤に登録され、その制御盤による制御で乗りかごが目的の行先階に向って移動するように運行される。
【０００３】
したがって、１人の利用者が複数の行先階登録ボタンを操作して複数の階床を登録するようないたずらをすると、その利用者が登録済みのある階床で降りた後にも、残りの登録の階床に乗りかごが移動し、エレベータが無駄に運行されてしまう。
【０００４】
そこで、特開２００２−６８６１３公報では、乗りかごにかご積載重量検出手段を設け、そのかご積載重量検出手段が検出する積載重量から乗りかごに乗り込む人数を割り出し、その人数と行先階登録ボタンの操作回数との比較から行先階登録ボタンに対するいたずらか否かを判定し、行先階の登録数を制限するようにしている。
【特許文献１】特開２００２−６８６１３公報
【発明の開示】
【発明が解決しようとする課題】
【０００５】
しかしながら、乗りかごに乗り込む利用者の体重は千差万別であり、したがって乗りかごの積載荷重から利用者の人数を割り出し、その人数に基づいて行先階登録ボタンに対するいたずらであるか否かを判断するのでは、特に乗りかごに乗り込む利用者が多人数のときに不正確となり、信頼性が低くなる。このため、特開２００２−６８６１３公報では積載荷重が９０ｋｇを超えるようなときには、行先階の登録を無制限としており、したがってこの場合にいたずらで多数の行先階登録ボタンを操作するようなことがあると、その操作に応じる行先階がそのまま登録され、エレベータが無駄に運行されてしまうことになる。
【０００６】
この発明はこのような点に着目してなされたもので、その目的とするところは、乗りかごに乗る利用者の人数に関係なく、行先階登録ボタンが操作されたときにそれがいたずらによるものか否かを判定していたずらによる場合の行先階の登録を的確に規制してエレベータの無駄な運行を防止することができるいたずら防止システムを提供することにある。
【課題を解決するための手段】
【０００７】
このような目的を達成するために、請求項１の発明は、乗りかご内に設けられた操作盤と、前記操作盤に配設され、乗りかごの行先階を登録するためにエレベータの利用者が操作する複数の行先階登録ボタンと、前記操作盤の１つの行先階登録ボタンが操作されたときに、この今回の操作が前記操作盤に対する前回の行先階登録ボタンの操作から予め設定された所定の時間内に行なわれたか否かを判定し、所定の時間内での操作であるときには、今回の操作による行先階登録ボタンに対応する階床の行先階登録を行なわず、かつ前回の行先階登録ボタンの操作による階床の行先階登録を取り消し、今回の操作が前記操作盤に対する前回の行先階登録ボタンの操作から前記所定の時間を超える時間での操作であるときには、今回の操作による行先階登録ボタンに対応する階床の行先階登録、及び前回の行先階登録ボタンの操作による階床の行先階登録を共に維持する制御を行なう制御手段とを具備することを特徴としている。
【０００８】
請求項２の発明は、乗りかご内に設けられた複数の操作盤と、前記各操作盤に配設され、乗りかごの行先階を登録するためにエレベータの利用者が操作する複数の行先階登録ボタンと、前記いずれか１つの操作盤における１つの行先階登録ボタンが操作されたときに、この今回の操作が前記操作盤に対する前回の行先階登録ボタンの操作から予め設定された所定の時間内に行なわれたか否かを判定し、所定の時間内での操作であるときには、今回の操作による行先階登録ボタンに対応する階床の行先階登録を行なわず、かつ前回の行先階登録ボタンの操作による階床の行先階登録を取り消し、今回の操作が前記操作盤に対する前回の行先階登録ボタンの操作から前記所定の時間を超える時間での操作であるときには、今回の操作による行先階登録ボタンに対応する階床の行先階登録、及び前回の行先階登録ボタンの操作による階床の行先階登録を共に維持する制御を行なう制御手段とを具備することを特徴としている。
【０００９】
請求項３の発明は、前記制御手段は、前記操作盤における１つの行先階登録ボタンが、前記操作盤に対する前回の行先階登録ボタンの操作から前記所定の時間内に行なわれたと判定したときに、乗りかご内にいたずらに対する警告を発する警告手段を備えることを特徴としている。
【００１０】
請求項４の発明は、前記制御手段による制御は、予め設定された特定の時間帯に限って行なわれ、その時間帯以外の時間帯には、前記操作盤における行先階登録ボタンの操作に応じる階床の行先階がすべて登録されることを特徴としている。
【発明の効果】
【００１１】
この発明によれば、乗りかごに乗る利用者の人数に関係なく、行先階登録ボタンが操作されたときにそれがいたずらによるものか否かを判定していたずらによる場合の行先階の登録を的確に規制してエレベータの無駄な運行を防止することができる。
【発明を実施するための最良の形態】
【００１２】
以下、この発明の実施の形態について図面を参照して説明する。
【００１３】
図１〜図３には、この発明の第１の実施形態を示してある。図１は、エレベータの乗りかご１の内部の外観を示す斜視図で、この乗りかご１は前面に出入口２を備え、この出入口２にその開閉用のドア装置３が設けられている。乗りかご１の内部には、出入口２の側方部において操作盤４が設けられ、この操作盤４に乗りかご１の行先階を登録するためにエレベータの利用者が操作する複数の行先階登録ボタン５ａ〜５ｄが配設されている。
【００１４】
図２には、いたずら防止システムの制御ブロック図を示してある。いたずら防止システムは、制御手段として、行先階登録可否判定部１０と制御部１１とを備えている。また、操作盤４に配設された各行先階登録ボタン５ａ〜５ｄには、例えばＬＥＤを光源とする登録灯６ａ〜６ｄが組み込まれ、各登録灯６ａ〜６ｄが点灯することにより各行先階登録ボタン５ａ〜５ｄが明るく照光される。
【００１５】
乗りかご１に乗った利用者が操作盤４に配列する行先階登録ボタン５ａ〜５ｄのうちのいずれか１つを押圧操作すると、その操作信号が行先階登録可否判定部１０に入力される。行先階登録可否判定部１０はタイマー機能を備え、後述するフローチャートに従って今回の行先階登録ボタン５ａ〜５ｄに対する操作がいたずらを目的とする操作か否かを判定する。行先階登録ボタン５ａ〜５ｄの操作がいたずら目的の操作でないときには、今回の操作による行先階登録ボタン５ａ〜５ｄに対応する階床の行先階登録指令を制御部１１に出力し、いたずら目的の操作のときには、今回の操作による行先階登録ボタン５ａ〜５ｄに対応する階床の行先階登録指令を出力せずに、今回の前の前回の行先階登録ボタン５ａ〜５ｄの操作による階床の行先階登録を取り消す行先階取消指令を制御部１１に出力する。
【００１６】
制御部１１は、行先階登録指令が入力された場合は、指定された階床の行先階登録を行なうとともに操作された行先階登録ボタン５ａ〜５ｄの登録灯６ａ〜６ｄを点灯させ、行先階取消指令が入力された場合は、指定された階床の行先階登録を取り消すとともにそれに対応する行先階登録ボタン５ａ〜５ｄの登録灯６ａ〜６ｄを消灯させる。
【００１７】
なお、この実施形態では、乗りかご１が移動する階床が１階〜４階で、操作盤４にその各階に対応する４つの行先階登録ボタン５ａ〜５ｄが配設された構成を例示してあるが、行先階登録ボタンが２個以上の複数であれば階床及びそれに対応する行先階登録ボタンの数は４つに限定されず、それ以上であってもそれ以下であってもよい。
【００１８】
図３は、前記行先階登録可否判定部１０が処理するいたずら判定のフローチャートで、行先階登録ボタン５ａ〜５ｄのうちのいずれか１つが操作されると、それに対応する行先階登録ボタン操作信号が判定部１０に入力される（Ｓ１）。そして判定部１０は、前回の行先階登録ボタン操作信号入力から今回の行先階登録ボタン操作信号入力までの時間［ｔ］が設定値としてのＴ秒以上であるか否かを判定する（Ｓ２）。
【００１９】
Ｔ（秒）の設定値は以下の考え方をもとに決定されている。１人の利用者がいたずら目的で複数の行先階登録ボタン５ａ〜５ｄを操作する場合、無作為に連続して行先階登録ボタン５ａ〜５ｄを操作するためボタンを押す時間間隔が短くなる。これに対し、複数の利用者がそれぞれの目的階に向かうために行先階登録ボタン５ａ〜５ｄを操作する場合、１人がある行先階登録ボタン５ａ〜５ｄを操作したのちに別の利用者が自分の目的階が登録されてないことを確認してから追加として行先階登録ボタン５ａ〜５ｄを操作するため、ボタンを押す時間間隔がいたずら目的の場合と比較して長くなる。したがって、複数の利用者が最短で行先階登録ボタン５ａ〜５ｄを操作する時間間隔よりわずかに長い時間をＴとする。例えばＴ＝０．５秒程度に設定する。
【００２０】
前回の行先階登録ボタン操作信号入力からの時間［ｔ］がＴ秒以上の場合は、いたずら目的ではないと推定し、今回の行先階登録ボタン５ａ〜５ｄが操作された階床の行先階登録指令を制御部１１に対して出力する（Ｓ３）。
【００２１】
前回の行先階登録ボタン操作信号入力からの時間［ｔ］がＴ秒未満の場合は、連続して行先階登録ボタン５ａ〜５ｄが操作されていることからいたずら目的と推定し、今回の行先階登録ボタン５ａ〜５ｄが操作された階床の行先階登録指令を制御部１１に出力せず（Ｓ４）、今回の行先階登録ボタン５ａ〜５ｄの操作に対する階床の行先階登録は行なわない。
【００２２】
また、この場合は前回の行先階登録ボタン５ａ〜５ｄの操作もいたずら目的と推定されるため、前回の行先階登録ボタン５ａ〜５ｄの操作による階床を読み込み、その階床の行先階取消指令を制御部１１に対して出力する（Ｓ５）。
【００２３】
行先階登録指令または行先階取消指令が出力された後には、［ｔ］＝０のタイマーリセットを行ない（Ｓ６）、次回の行先階登録ボタン５ａ〜５ｄに対する操作までの時間測定を開始する。
【００２４】
最後に今回の行先階登録ボタン５ａ〜５ｄの操作で指定された行先階がいずれの階床であるかを記憶する（Ｓ７）。これは次回の行先階登録ボタン５ａ〜５ｄの操作がいたずら目的と判定した場合に前回の行先階登録ボタン５ａ〜５ｄの操作の階床を読み込むために必要となるデータであり、行先階登録ボタン５ａ〜５ｄのいずれかが操作されるたびに上書きされる。
【００２５】
このように、第１の実施形態においては、１人の利用者がいたずら目的で複数の行先階登録ボタン５ａ〜５ｄを予め設定された所定の時間より短い間隔で操作した場合に行先階登録を行なわないように制御するものであり、したがって乗りかご１に乗る利用者の人数に関係なく、行先階登録ボタン５ａ〜５ｄが操作されたときにそれがいたずら目的であるか否かを判定していたずらによる場合の行先階の登録を的確に規制することができ、これによりエレベータの無駄な運行を防止して効率的な運行を達成することができる。
【００２６】
図４には、この発明の第２の実施形態に係るエレベータのいたずら防止システムの制御ブロック図を示してある。
【００２７】
第１の実施形態では乗りかごに１つのかご操作盤が設けられている場合であるが、エレベータの乗りかご内には主となる操作盤の他に副操作盤・身体障害者用主操作盤・身体障害者用副操作盤などが設置されることも多い。第２の実施形態では操作盤が複数の場合の例であり、図４に示すように、乗りかご内に操作盤として主操作盤４ａ、副操作盤４ｂ、身体障害者用主操作盤４ｃ、身体障害者用副操作盤４ｄが設けられている。そして各操作盤４ａ〜４ｄにそれぞれ複数の行先階登録ボタン５ａ〜５ｄが配設されているとともに、その各行先階登録ボタン５ａ〜５ｄに登録灯６ａ〜６ｄが組み込まれている。
【００２８】
エレベータの利用者が操作盤４ａ〜４ｄのうちのいずれかの操作盤における１つの行先階登録ボタン５ａ〜５ｄを操作したときに行先階登録ボタン操作信号が制御手段としての行先階登録可否判定部１０に入力される。
【００２９】
行先階登録可否判定部１０は後述するフローチャートに従って今回の行先階登録ボタン５ａ〜５ｄに対する操作がいたずら目的の操作か否かを判定する。行先階登録ボタン５ａ〜５ｄの操作がいたずら目的の操作でないときには、今回の操作による行先階登録ボタン５ａ〜５ｄに対応する階床の行先階登録指令を制御部１１に出力し、いたずら目的の操作のときには、今回の操作による行先階登録ボタン５ａ〜５ｄに対応する階床の行先階登録指令を出力せずに、今回の前の前回の行先階登録ボタン５ａ〜５ｄの操作による階床の行先階登録を取り消す行先階取消指令を制御部１１に出力する。
【００３０】
制御部１１は、行先階登録指令が入力された場合は、指定された階床の行先階登録を行なうとともに操作された行先階登録ボタン５ａ〜５ｄの登録灯６ａ〜６ｄを点灯させ、行先階取消指令が入力された場合は、指定された階床の行先階登録を取り消すとともにそれに対応する行先階登録ボタン５ａ〜５ｄの登録灯６ａ〜６ｄを消灯させる。
【００３１】
図５は、前記行先階登録可否判定部１０が処理するいたずら判定のフローチャートで、例えば主操作盤４ａにおいて行先階登録ボタン５ａ〜５ｄのいずれかが操作されると、行先階登録ボタン操作信号が判定部１０に入力される（Ｓ１）。そして判定部１０は、前回の行先階登録ボタン操作信号入力から今回の行先階登録ボタン操作信号入力までの時間［ｔ］が設定値としてのＴ秒以上であるか否かを判定する（Ｓ２）。
【００３２】
同様に、副操作盤４ｂ、身体障害者用主操作盤４ｃ、身体障害者用副操作盤４ｄの個々において行先階登録ボタン５ａ〜５ｄのいずれかが操作され、行先階登録ボタン操作信号が判定部１０に入力されると、判定部１０が前回における副操作盤４ｂ、身体障害者用主操作盤４ｃ、身体障害者用副操作盤４ｄでの行先階登録ボタン操作信号入力のときからの時問［ｔｂ〜ｔｄ］がＴ秒以上であるか否かを判定する（Ｓ２）。
【００３３】
いたずら目的の場合は複数の操作盤４ａ〜４ｄのうちの１つの操作盤で連続して行先階登録ボタン５ａ〜５ｄを操作し、複数の操作盤４ａ〜４ｄにまたがって短い間隔で行先階登録ボタン５ａ〜５ｄを操作するようなことはないと言える。そして、乗りかご内に複数の操作盤４ａ〜４ｄが設置されている場合は複数の利用者がほぼ同時に別の操作盤で行先階登録ボタンを操作ことも想定されるため、１つの操作盤に限定する個々の操作盤４ａ〜４ｄごとで、前回の行先階登録ボタン操作からの時間がＴ秒以上であるか否かを判定する。
【００３４】
そして例えば前回の主操作盤４ａでの行先階登録ボタン操作信号入力からの時問［ｔａ］がＴ秒以上の場合はいたずら目的ではないと推定し、今回の行先階登録ボタン５ａ〜５ｄの操作に対応する階床の行先階登録指令を制御部１１に対して出力する（Ｓ３）。
【００３５】
前回の主操作盤４ａでの行先階登録ボタン操作信号入力からの時間［ｔａ］がＴ秒未満の場合は連続して主操作盤４ａで行先階登録ボタン５ａ〜５ｄが操作されていることからいたずら目的と推定し、今回の行先階登録ボタン５ａ〜５ｄが操作された階床の行先階登録指令を制御部１１に出力せず（Ｓ４）、今回の行先階登録ボタン５ａ〜５ｄが操作された階床の行先階登録は行なわない。
【００３６】
また、この場合は前回の主操作盤４ａでの行先階登録ボタン操作もいたずら目的と推定されるため、前回の主操作盤４ａで行先階登録ボタン５ａ〜５ｄが操作された階床を読み込み、その階床の行先階取消指令を制御部１１に対して出力する（Ｓ５）。
【００３７】
行先階登録指令もしくは前回の行先階取消指令を出力した後には、［ｔａ］＝０のタイマーリセットを行ない（Ｓ６）、次回の主操作盤４ａでの行先階登録ボタン操作までの時間測定を開始する。このとき他の副操作盤４ｂ、身体障害者用主操作盤４ｃ、身体障害者用副操作盤４ｄに対しては、前回の操作からの時間［ｔｂ〜ｔｄ］のタイマーリセットは行なわない。
【００３８】
最後に今回、主操作盤４ａの行先階登録ボタン５ａ〜５ｄで操作された行先階がいずれの階床であるかを記憶する（Ｓ７）。これは次回の主操作盤４ａでの行先階登録ボタン操作をいたずら目的と判定した場含に前回の主操作盤４ａでの行先階登録ボタン５ａ〜５ｄの操作の階床を読み込むために必要となるデータであり、主操作盤４ａの行先階登録ボタン５ａ〜５ｄのいずれかが操作されるたびに上書きされる。このとき、他の副操作盤４ｂ、身体障害者用主操作盤４ｃ、身体障害者用副操作盤４ｄの前回行先階データは書き換えない。
【００３９】
以上は主操作盤４ａの行先階登録ボタン５ａ〜５ｄが操作された場合であるが、他の副操作盤４ｂ、身体障害者用主操作盤４ｃ、身体障害者用副操作盤４ｄが個々に操作された場合も同様に処理される。
【００４０】
この第２の実施形態においては、複数の利用者がほぼ同時に別々の操作盤４ａ〜４ｄで行先階登録ボタン５ａ〜５ｄを操作した際には、いたずら目的と誤判定するような弊害を防止し、１人の利用者がいたずら目的で操作盤４ａ〜４ｂのうちの１つの操作盤で複数の行先階登録ボタン５ａ〜５ｄを短い時間間隔で操作した場合にのみいたずら目的の操作として行先階登録を行なわないものであり、これによりエレベータの無駄な運行を防止して効率的な運行を達成することができる。
【００４１】
図６には、この発明の第３の実施形態に係るエレベータのいたずら防止システムの制御ブロック図を示してある。この実施形態では、乗りかご内に警告手段として、例えば液晶表示パネルからなる表示部１３とスピーカーからなる音声出力部１４が設けられている。
【００４２】
この実施形態では、前記第１及び第２の実施形態の場合と同様に、行先階登録可否判定部１０がいたずら目的と判定すると、前回の行先階登録ボタン５ａ〜５ｄの操作による階床を読み込み、その階床の行先階取消指令を制御部１１に対して出力する。そして制御部１１は、行先階取消指令の入力に応じて、指定された階床の行先階登録を取り消すとともにそれに対応する行先階登録ボタン５ａ〜５ｄの登録灯６ａ〜６ｄを消灯させる。
【００４３】
さらにこの第３の実施形態では、判定部１０がいたずら目的であると判定した際に、その信号を制御部１１に出力し、これに応じて制御部１１が表示部１３及び音声出力部１４に対して注意喚起信号を出力し、いたずら目的で行先階登録ボタン５ａ〜５ｄを操作しないように乗りかご内の利用者に対して注意を喚起する警告を表示部１３に文言で表示し、かつ音声出力部１４を通して音声でアナウンスする。なお図６では、複数の操作盤４ａ〜４ｂを備える場合を例示してあるが、１つの操作盤を備える場合であって同様である。
【００４４】
この第３の実施形態によれば、利用者がいたずら目的で行先階登録ボタン５ａ〜５ｄを操作するとその警告が発せられるため、それ以降のいたずらを慎むようになり、他の利用者への迷惑を防止でき、また無駄なエレベータの運行を防止することができる。
【００４５】
ところで、前記第１〜第３の実施形態においては、行先階登録ボタン５ａ〜５ｄのいずれかが操作され、行先階登録ボタン操作信号が制御部１１に入力されても前回の行先階登録ボタン操作信号入力からの時間［ｔ］がＴ秒未満の場合はいたずら目的と推定し、今回の行先階登録ボタン５ａ〜５ｄの操作による階床の行先階登録は行なわないようにしている。
【００４６】
このため、例えばマンションなどの居住者が深夜１人で帰宅してエレベータを利用する際に、乗りかごに不審者と乗り合わせ、安全のために乗りかごから早く降りられるようにすべての行先階登録ボタン５ａ〜５ｄを急いで操作するような場合、その操作が誤っていたずら目的の操作として判定されてしまうことになる。
【００４７】
そこで、図７に示す第４の実施形態においては、予め設定された所定の時間帯に限って判定部１０がいたずら判定を行ない、それ以外の時間帯にはいたずら判定が行われない構成となっている。
【００４８】
図７は、行先階登録可否判定部１０が処理するフローチャートであり、利用者が操作盤の行先階登録ボタン５ａ〜５ｄのいずれかを操作すると行先階登録ボタン操作信号が行先階登録可否判定部１０に入力される（Ｓ１）。行先階登録可否判定部１０は２４時聞タイマー機能を備え、前記行先階登録ボタン操作信号が入力されたときに、その時点が所定の時間帯、例えば午後１１時から翌日の午前５時までの深夜時間を除く時間帯であるか否かを判断する。
【００４９】
所定の時間帯でない深夜の時間帯である場合、つまり犯罪が発生しやすい時間帯の場合には、判定部１０はいたずらに関する判定を行なわずに、行先階登録ボタン５ａ〜５ｄが連続して操作されたときにその操作に応じるすべての階床について行先階登録指令を制御部１１に出力する（Ｓ３）。したがって、この深夜の時間帯では、各行先階登録ボタン５ａ〜５ｄを連続して操作すると、それに応じるすべての階床で乗りかごが停止するように制御される。
【００５０】
Ｓ２で所定の時間帯であると判断したときには、前記第１及び第２の実施形態の場合と同様に、前回の行先階登録ボタン操作信号入力からの時間［ｔａ］がＴ秒未満であるか否かを判定する（Ｓ４）。
【００５１】
そして、行先階登録ボタン操作信号入力からの時間［ｔａ］がＴ秒以上の場合は、今回の行先階登録ボタン５ａ〜５ｄの操作に対応する階床の行先階登録指令を制御部１１に出力し（Ｓ５）、Ｔ秒未満の場合は今回の行先階登録ボタン５ａ〜５ｄが操作された階床の行先階登録指令を制御部１１に出力せず（Ｓ６）、前回の行先階登録ボタン５ａ〜５ｄが操作された階床を読み込み、その階床の行先階取消指令を制御部１１に出力する（Ｓ７）。
【００５２】
行先階登録指令もしくは前回の行先階取消指令を出力した後には、［ｔａ］＝０のタイマーリセットを行ない（Ｓ８）、さらに今回の行先階登録ボタン５ａ〜５ｄで操作された行先階がいずれの階床であるかを記憶する（Ｓ９）。
【００５３】
この第４の実施形態によれば、深夜の時間帯のときに乗りかごに不審者と乗り合わせてしまい、乗りかごから早く降りようとしてすべての行先階登録ボタン５ａ〜５ｄを急いで操作した場合には、その操作がいたずら目的であると判定されず、乗りかごが各階床で停止し、したがって速やかに乗りかごから降りて不測の危険を回避することができる。
【図面の簡単な説明】
【００５４】
【図１】この発明の第１の実施形態に係るいたずら防止システムを備えるエレベータの乗りかごの内部外観を示す斜視図。
【図２】そのいたずら防止システムの制御回路ブロック図。
【図３】そのいたずら防止システムの処理の流れを示すフローチャート。
【図４】この発明の第２の実施形態に係るいたずら防止システムの制御回路ブロック図。
【図５】そのいたずら防止システムの処理の流れを示すフローチャート。
【図６】この発明の第３の実施形態に係るいたずら防止システムの制御回路ブロック図。
【図７】この発明の第４の実施形態に係るいたずら防止システムの処理の流れを示すフローチャート。
【符号の説明】
【００５５】
１…乗りかご
２…出入口
３…ドア装置
４…操作盤
４ａ…主操作盤
４ｂ…副操作盤
４ｃ…身体障害者用主操作盤
４ｄ…身体障害者用副操作盤
５ａ〜５ｄ…行先階登録ボタン
６ａ〜６ｄ…登録灯
１０…行先階登録可否判定部
１１…制御部
１３…表示部
１４…音声出力部
【図１】
2010006513.tif 000003
【図２】
2010006513.tif 000004
【図３】
2010006513.tif 000005
【図４】
2010006513.tif 000006
【図５】
2010006513.tif 000007
【図６】
2010006513.tif 000008
【図７】
2010006513.tif 000009